(57)【特許請求の範囲】
【請求項１】
基板上に形成された回路パターンの撮像領域と該回路パターンの設計情報とを入力する入力ステップと、
前記入力ステップにて入力した該撮像領域の中心座標と前記設計情報とを用いて、該回路パターンのうち寸法を計測すべき計測ポイントと該計測ポイントにおいて発生する可能性がある測長種を計算機内で推定する計測ポイント決定ステップと、
前記計測ポイント決定ステップにて決定した計測ポイントを計測するために画像を取得する撮像領域を計算機内で決定する撮像領域決定ステップと、
前記撮像領域決定ステップにて決定した撮像領域を撮像して得られた画像を処理して、前記計測ポイント決定ステップにて決定した計測ポイントにおける回路パターンの寸法を計測する計測ステップと、
を備え、
前記撮像領域決定ステップにおいて決定した撮像領域は前記入力ステップにて入力した撮像領域とは異なり，該決定した撮像領域は前記計測ポイント決定ステップにおいて推定した測長種を基に決定した測長カーソルの範囲を含むように決定することを特徴とする回路パターンの寸法計測方法。
【請求項２】
請求項１記載の寸法計測方法であって、
前記入力ステップでは、さらに、該撮像領域にて発生しうる不良の候補を入力し、
前記計測ポイント決定ステップでは、前記入力ステップにて入力された該撮像領域にて発生しうる不良の候補に基づいて計測ポイントと計測すべき寸法の種類とを決定することを特徴とする寸法計測方法。
【請求項３】
請求項１記載の寸法計測方法であって、
前記計測ポイント決定ステップにて決定される計測ポイントと該計測ポイントにおいて計測すべき寸法の種類とを決定する決定ルールは、撮像領域と該撮像領域における計測ポイントまたは該計測すべき寸法の種類とを組み合わせて教示することにより最適化されることを特徴とする寸法計測方法。
【請求項４】
請求項１記載の寸法計測方法であって、
前記入力ステップでは、複数の撮像領域を入力し、
前記撮像領域決定ステップでは、前記入力ステップにて入力された複数の撮像領域を統合して一つの撮像領域を設定することを特徴とする寸法計測方法。
【請求項５】
請求項４記載の寸法計測方法であって、
前記撮像領域決定ステップでは、該複数の撮像領域の視野および計測ポイントを撮像する際の電子ビーム走査方向を基に、前記入力ステップにて入力された複数の撮像領域を統合して一つの撮像領域を設定することを特徴とする寸法計測方法。
【請求項６】
請求項１記載の寸法計測方法であって、
前記撮像領域決定ステップでは、前記入力ステップにて入力された撮像領域を分割して二以上の撮像領域を設定することを特徴とする寸法計測方法。
【請求項７】
請求項６記載の寸法計測方法であって、
前記撮像領域決定ステップでは、該複数の撮像領域の視野および計測ポイントを撮像する際の電子ビーム走査方向を基に、前記入力ステップにて入力された撮像領域を分割して二以上の撮像領域を設定することを特徴とする寸法計測方法。
【請求項８】
請求項１記載の寸法計測方法であって、
前記撮像領域決定ステップでは、前記入力ステップにて入力された撮像領域に対して中心座標が異なる別の撮像領域を設定することを特徴とする寸法計測方法。
【請求項９】
請求項１記載の寸法計測方法であって、
前記撮像領域決定ステップでは、前記計測すべき寸法の計測値を画像処理により得るために参照される撮像画像上の領域を計測対象領域として設定することを特徴とする寸法計測方法。
【請求項１０】
請求項９記載の寸法計測方法であって、
前記計測ステップでは、前記撮像して得た画像に基づいて撮像領域決定ステップにおいて設定した計測対象領域を修正することを特徴とする寸法計測方法。
【請求項１１】
基板上に形成された回路パターンの撮像領域と該回路パターンの設計情報とを入力する入力部と、
前記入力部にて入力した該撮像領域の中心座標と前記設計情報とを用いて、該回路パターンのうち寸法を計測すべき計測ポイントと該計測ポイントにおいて発生する可能性がある測長種を計算機内で推定する計測ポイント決定部と、
前記計測ポイント決定ステップにて決定した計測ポイントを計測するために画像を取得する撮像領域を決定する撮像領域決定部と、
前記撮像領域決定部にて決定した撮像領域を撮像して得られた画像を処理して、前記計測ポイント決定部にて決定した計測ポイントにおける回路パターンの寸法を計測する計測部と、を備え、
前記撮像領域決定部において決定した撮像領域は前記入力部にて入力した撮像領域とは異なり，該決定した撮像領域は前記計測ポイント決定ステップにおいて推定した測長種を基に決定した測長カーソルの範囲を含むように決定することを特徴とする回路パターンの寸法計測装置。
【請求項１２】
請求項１１記載の寸法計測装置であって、
前記入力部では、さらに、該撮像領域にて発生しうる不良の候補を入力し、
前記計測ポイント決定部では、前記入力部にて入力された該撮像領域にて発生しうる不良の候補に基づいて計測ポイントと計測すべき寸法の種類とを決定することを特徴とする寸法計測装置。
【請求項１３】
請求項１１記載の寸法計測装置であって、
前記計測ポイント決定部にて決定される計測ポイントと該計測ポイントにおいて計測すべき寸法の種類とを決定する決定ルールは、撮像領域と該撮像領域における計測ポイントまたは該計測すべき寸法の種類とを組み合わせて教示することにより最適化されることを特徴とする寸法計測装置。
【請求項１４】
請求項１１記載の寸法計測装置であって、
前記入力部では、複数の撮像領域を入力し、
前記撮像領域決定部では、前記入力部にて入力された複数の撮像領域を統合して一つの撮像領域を設定することを特徴とする寸法計測装置。
【請求項１５】
請求項１４記載の寸法計測装置であって、
前記撮像領域決定部では、該複数の撮像領域の視野および計測ポイントを撮像する際の電子ビーム走査方向を基に、前記入力部にて入力された複数の撮像領域を統合して一つの撮像領域を設定することを特徴とする寸法計測装置。
【発明の詳細な説明】
【技術分野】
【０００１】
本発明は，試料上の任意の評価ポイントを撮像し，前記評価ポイントに形成された回路パターンの任意の寸法を自動で計測することが可能な走査型電子顕微鏡（Scanning Electron Microscope：ＳＥＭ）およびその方法に関するものであり，具体的には任意の評価ポイントのＳＥＭ画像を取得し，前記評価ポイントにおいて所望の計測（例えばラインパターンの配線幅やラインパターン間のギャップ計測）が可能なレシピを，回路パターンの設計データから実ウェーハを用いず，かつ自動で決定するレシピ自動生成機能を備えたＳＥＭ装置およびその方法に関するものである。レシピには，評価ポイントのSEM画像の撮像方法や，前記SEM画像を撮像した後，所望の回路パターンにおける寸法を計測するための測長カーソルの位置や形状，測長方法が指定されている。
【背景技術】
【０００２】
半導体ウェーハに配線パターンを形成するに際しては，半導体ウェーハ上にレジストと呼ばれる塗布材を塗布し，レジストの上に配線パターンの露光用マスク（レチクル）を重ねてその上から可視光線，紫外線あるいは電子ビームを照射し，レジストを感光（露光）して現像することによって半導体ウェーハ上にレジストによる配線パターンを形成し，このレジストの配線パターンをマスクとして半導体ウェハをエッチング加工することにより配線パターンを形成する方法が採用されている。このレジストで形成された配線パターンは照射する可視光線，紫外線あるいは電子ビームの強度や絞りによってパターンの形状が変化するため，高精度な配線パターンを形成するには，パターンの出来栄えを検査する必要がある。この検査には，従来から測長走査型電子顕微鏡（Critical Dimension Scanning Electron Microscope：ＣＤ−ＳＥＭ）が広く用いられている。
【０００３】
パターン形状の評価のため，ＳＥＭ撮像を行う座標を評価ポイントと呼び，以降，ＥＰと略記する。ＥＰは，ユーザが指定する場合や，検査を要する半導体パターン上のホットスポット（危険ポイント）の座標が与える場合等があり，前記ホットスポットの座標は露光シミュレーション等によって推定することができる。ＳＥＭ画像からパターンの配線幅などの各種寸法値を計測し，これらの寸法値からパターンの出来栄えを評価している。評価結果はマスクパターンの形状補正や半導体製造プロセス条件にフィードバックされ，高い歩留まりを実現する。
【０００４】
ＥＰを少ない撮像位置ずれ量で，かつ高画質で撮像するため，アドレッシングポイント（以降，ＡＰと呼ぶ）あるいはオートフォーカスポイント（以降，ＡＦと呼ぶ）あるいはオートスティグマポイント（以降，ＡＳＴと呼ぶ）あるいはオートブライトネス・コントラストポイント（以降，ＡＢＣＣと呼ぶ）の一部又は全ての調整ポイントを必要に応じて設定し，それぞれの調整ポイントにおいて，アドレッシング，オートフォーカス調整，オートスティグマ調整，オートブライトネス・コントラスト調整を行った後，ＥＰを撮像する。前記アドレッシングにおける撮像位置のずれ量は，事前に登録テンプレートとして登録された座標既知のＡＰにおけるＳＥＭ画像と，実際の撮像シーケンスにおいて観察されたＳＥＭ画像（実撮像テンプレート）とをマッチングし，前記マッチングのずれ量を撮像の位置ずれ量として補正している。前記評価ポイント（ＥＰ），調整ポイント（ＡＰ，ＡＦ，ＡＳＴ，ＡＢＣＣ）をまとめて撮像ポイントと呼ぶ。ＥＰの位置，撮像条件，ならびにＥＰを撮像するための撮像シーケンスと各調整ポイントの撮像条件，調整方法，ならびに前記登録テンプレートは撮像レシピとして管理され，ＳＥＭは前記撮像レシピに基づき，ＥＰの撮像を行う。
【０００５】
ＥＰにおけるＳＥＭ画像が取得されると，前記ＳＥＭ画像を用いてＥＰ内において計測すべき計測ポイント（以降，ＭＰと呼ぶ）における半導体パターンの所望の寸法を計測する。
【０００６】
従来，レシピの生成はＳＥＭオペレータがマニュアルで行っており，労力と時間を要する作業であった。また，各調整ポイントの決定や登録テンプレートをレシピに登録するためには，実際にウェーハを低倍で撮像する必要があることから，レシピの生成がＳＥＭ装置の稼働率低下の一因となっていた。更に，パターンの微細化・複雑化に伴い，評価を要するＥＰの点数は爆発的に増加し，前記レシピのマニュアルによる生成は，労力，生成時間の観点から非現実的になりつつある。
【０００７】
そこで撮像レシピに関して，例えばＧＤＳII形式で記述された半導体の回路パターンの設計データを基にＡＰを決定し，さらに設計データからＡＰにおけるデータを切り出して前記登録テンプレートとして撮像レシピに登録する半導体検査システムが開示されている（特許文献１：特開２００２−３２８０１５号公報）。そこでは，ＡＰの決定ならびに登録テンプレートの登録の目的のみで実ウェーハを撮像する必要がなく，ＳＥＭの稼働率向上が実現する。また，実際の撮像シーケンスにおいてＡＰにおけるＳＥＭ画像（実撮像テンプレート）を取得した際，前記実撮像テンプレートと設計データの登録テンプレートとのマッチングを行い，前記設計データの登録テンプレートの位置に対応するＳＥＭ画像を登録テンプレートとして撮像レシピに再登録し，以降，前記再登録したSEM画像の登録テンプレートをアドレッシング処理に使用する機能を有する。さらに設計データから特徴のあるパターン部分を自動的に検出し，ＡＰとして登録する機能を有する。
【０００８】
また，特許文献２には，ＣＡＤデータを用いてＥＰを観察するための撮像レシピを作成する方法が記載されており，観察するための撮像ポイントの点数，座標，サイズ・形状，撮像シーケンス，撮像位置変更方法，撮像条件，撮像シーケンスの一部又は一部をＣＡＤデータから自動で算出すること，また，この撮像レシピの生成作業を実ウェハのＳＥＭ画像の代わりにＣＡＤデータを用いることによりオフラインで行うことが記載されている。
【０００９】
【特許文献１】特開２００２−３２８０１５号公報
【特許文献２】特開２００７−２５０５２８号公報
【発明の開示】
【発明が解決しようとする課題】
【００１０】
本発明は，撮像・計測レシピの自動生成機能を備えたＳＥＭ装置およびその方法に関するものであり，特に計測レシピの自動生成において問題となる次の課題を解決する。
【００１１】
すなわち，従来技術においては，ＥＰにおいてユーザの意図する計測を実現するための計測ツール（ＳＥＭ）側の仕様や特性が考慮されていなかった。このため，レシピ生成後にオペレータによるレシピ修正が必要となるケースが多く発生していた。
【００１２】
また，従来技術においては，レシピ生成システムならびにこのシステムにより生成あるいは取得された情報を複数台のＳＥＭ装置で共有することについて配慮されておらず，装置毎にレシピ生成を行う必要があった。また，複数台の装置から取得された撮像・計測データを共有することについて配慮されていなかった。
【００１３】
本発明の目的は，上記した従来技術の課題を解決して，オペレータによるレシピの修正をより少なくするとともに，撮像あるいは計測の正解率を従来に対し向上させることが期待できるレシピ作成方法を提供することにある。
【課題を解決するための手段】
【００１４】
上記課題を解決するために，本発明では，ＳＥＭのレシピを生成するときに設計データを用いることによってウェーハレス・オフライン（ＳＥＭ装置を使わずに）かつ自動ですることを可能にした。
【００１５】
また，レシピ生成手順においては，単にユーザが指定したＥＰを撮像するという観点だけでなく，ＥＰにおいてユーザの意図する計測を実現するための計測ツール（ＳＥＭ）側の仕様や特性も考慮するようにした。
【００１６】
さらに，レシピ生成システムならびに前記システムにより生成あるいは取得された情報を複数台のＳＥＭ装置で共有するようにした。
【００１７】
すなわち本発明では上記課題を解決するために，走査型電子顕微鏡を用いて基板上に形成された回路パターンの寸法を計測する方法において，基板上に形成された回路パターンのうち寸法を計測すべき回路パターンの位置の情報ならびに寸法を計測すべき回路パターンを含む基板上に形成された回路パターンの設計情報を入力する工程と，入力した寸法を計測すべき回路パターンの位置の情報と設計情報とを用いて寸法を計測すべき回路パターンのエッジを含む計測対象領域を設定すると共に設定した計測対象領域を含む領域を走査型電子顕微鏡で撮像するための撮像領域と撮像条件とを設定する工程と，回路パターンの寸法を計測するために撮像領域を走査型電子顕微鏡で撮像するための撮像シーケンスを設定する工程と，設定した撮像条件と撮像シーケンスとに基づいて走査型電子顕微鏡で基板上に形成された回路パターンを撮像する工程と，撮像して得た画像を処理して回路パターンの寸法を計測する工程とを備え，撮像領域と撮像条件とを設定する工程において，回路パターンの寸法を計測する位置を含む領域として計測する位置の近傍の回路パターンのエッジを含む領域を設定し，設定した領域内の回路パターンのエッジの方向に応じて走査型電子顕微鏡で走査する電子線の連続的なスキャンの方向を設定するようにした。
【００１８】
また本発明では上記課題を解決するために，走査型電子顕微鏡を用いて基板上に形成された回路パターンの寸法を計測する方法において，基板上に形成された回路パターンのうち寸法を計測すべき回路パターンの位置の情報ならびに寸法を計測すべき回路パターンを含む基板上に形成された回路パターンの設計情報を入力する工程と，この入力した寸法を計測すべき回路パターンの位置の情報と設計情報とを用いて寸法を計測すべき回路パターンのエッジを含む計測対象領域を設定すると共にこの設定した計測対象領域を含む領域を走査型電子顕微鏡で撮像するための撮像領域と撮像条件とを設定する工程と，この設定した撮像条件に基づいて走査型電子顕微鏡で基板上に形成された回路パターンを撮像する工程と，この撮像して得た画像を処理して撮像領域内の寸法を計測すべき回路パターンのエッジの情報を用いて回路パターンの寸法を計測する工程とを備え，撮像領域と撮像条件とを設定する工程において，寸法を計測すべき回路パターンの位置の情報と設計情報とを用いて計測すべき寸法の種類を設定し，この設定した計測すべき寸法の種類に応じて計測対象領域を設定するようにした。  
更に本発明では上記課題を解決するために，走査型電子顕微鏡を用いて基板上に形成された回路パターンの寸法を計測する装置を，基板上に形成された回路パターンのうち寸法を計測すべき回路パターンの位置の情報ならびに寸法を計測すべき回路パターンを含む基板上に形成された回路パターンの設計情報を入力する入力手段と，この入力した寸法を計測すべき回路パターンの位置の情報と設計情報とを用いて寸法を計測すべき回路パターンのエッジを含む計測対象領域を設定する計測対象領域設定部とこの計測対象領域設定部で設定した計測対象領域を含む領域を走査型電子顕微鏡で撮像するための撮像領域と撮像条件とを設定する領域・条件設定部とを有する撮像条件設定手段と，この撮像条件設定手段で設定した回路パターンの寸法を計測するために撮像領域を走査型電子顕微鏡で撮像するための撮像シーケンスを設定する撮像シーケンス設定手段と，撮像条件設定手段で設定した撮像条件と撮像シーケンス手段で設定した撮像シーケンスとに基づいて基板上に形成された回路パターンを撮像する走査型電子顕微鏡手段と，この走査型電子顕微鏡手段で撮像して得た画像を処理して回路パターンの寸法を計測する画像処理手段とを備えて構成し，
撮像条件設定手段の計測領域設定部では，回路パターンの寸法を計測する位置を含む領域としてこの計測する位置の近傍の回路パターンのエッジを含む領域を設定し，撮像条件設定手段は更に計測領域設定部で設定した領域内の回路パターンのエッジの方向に応じて走査型電子顕微鏡で走査する電子線の連続的なスキャンの方向を設定するスキャン方向設定部を備えて構成した。
【００１９】
更にまた本発明では上記課題を解決するために，走査型電子顕微鏡を用いて基板上に形成された回路パターンの寸法を計測する装置を，基板上に形成された回路パターンのうち寸法を計測すべき回路パターンの位置の情報ならびに寸法を計測すべき回路パターンを含む基板上に形成された回路パターンの設計情報を入力する入力手段と，この入力手段で入力した前記寸法を計測すべき回路パターンの位置の情報と前記設計情報とを用いて前記寸法を計測すべき回路パターンのエッジを含む計測対象領域を設定する計測対象領域設定部とこの計測対象領域設定部で設定した計測対象領域を含む領域を走査型電子顕微鏡で撮像するための撮像領域と撮像条件とを設定する領域・条件設定部とを有する撮像条件設定手段と，撮像条件設定手段で設定した撮像条件に基づいて基板上に形成された回路パターンを撮像する走査型電子顕微鏡手段と，この走査型電子顕微鏡手段で撮像して得た画像を処理して寸法を計測すべき回路パターンのエッジの情報を用いて回路パターンの寸法を計測する画像処理手段とを備えて構成し，撮像条件設定手段には，入力手段で入力した寸法を計測すべき回路パターンの位置の情報と設計情報とを用いて計測すべき寸法の種類を設定する側長種設定部を備え，計測領域設定部においてこの側長種設定部で設定した計測すべき寸法の種類に応じて回路パターンのエッジを含む領域を計測対象領域として設定するように構成した。
【００２０】
本発明では，ＥＰにおけるＳＥＭ画像が取得されると，前記ＳＥＭ画像を用いてＥＰ内において計測すべき計測ポイント（以降，ＭＰと呼ぶ）における半導体パターンの所望の寸法を計測する。この所望の寸法にはラインパターンの配線幅やラインパターン間のギャップ値等が挙げられ，以降，このようなＭＰにおける計測のバリエーションを測長種と呼ぶ。ＭＰはＥＰ内に複数個存在する場合もある。次に，測長種としてラインパターンの配線幅（ラインの左右エッジ間の距離）を例に挙げ，画像処理による計測方法の例を説明する。配線幅を正しく計測するためには，ライン左右のエッジの位置を正確かつ安定に計測する必要がある。そのため，左右のエッジそれぞれにエッジを含む一定サイズの領域を設定し，前記領域内でＳＥＭ信号をライン方向に積算することにより画像ノイズやラインエッジラフネスの影響を受けにくい積算プロファイルを算出し，前記プロファイルを用いてエッジ位置を検出する手法がある。前記エッジを含む一定サイズの計測対象領域（計測値を得るために参照されるＳＥＭ画像上の領域）は，測長カーソルと呼ばれるボックスにより指定される。測長カーソルの位置や形状，測長方法（測長アルゴリズムや測長パラメータ）は計測レシピとして管理され，ＳＥＭは前記計測レシピに基づき，ＥＰでの計測を行う。
【００２１】
本明細書では前述のような切り分けで撮像レシピ，計測レシピという言葉を用いる。ただし，前記撮像レシピ，計測レシピの切り分けは一実施例であり，各レシピで指定される各設定項目は，任意の組み合わせで管理することが可能である。よって前記撮像レシピ，計測レシピを特に区別しない場合，両者を合わせて単にレシピ，あるいは撮像・計測レシピと呼ぶ。
【発明の効果】
【００２２】
本発明により，ＳＥＭに関する特別な知識を必要とせず，誰でも直ぐに高精度なレシピをウェーハレスかつ自動で生成することが可能となる。まとめると，本発明の効果は大きく次の（１）〜（３）である。
（1）設計データを用いることによってウェーハレス・オフライン（ＳＥＭ装置を使わずに）かつ自動で，ＳＥＭのレシピを生成することが可能となり，オペレータの負担軽減およびＳＥＭ装置の稼働率向上に繋がる。また自動化により，各オペレータのスキルの違いに依存しないレシピ生成が可能となる。
（2）本発明によるレシピ生成手順においては，単にユーザが指定したＥＰを撮像するという観点だけでなく，ＥＰにおいてユーザの意図する計測を実現するための計測ツール（ＳＥＭ）側の仕様や特性も考慮したものであるため，レシピ生成後にオペレータによるレシピ修正が必要となるケースが少なくなり，また撮像あるいは計測の正解率も従来に対し向上することが期待できる。
（3）本発明によるレシピ生成システムならびに前記システムにより生成あるいは取得された情報を複数台のＳＥＭ装置で共有することにより，装置毎にレシピ生成を行う必要がなくなる。また，複数台の装置から取得された撮像・計測時の成功，失敗事例を含む結果データを共有するため，早期に多くの結果データを収集することができ，例えばレシピの生成ルールに不具合があった場合，前記結果データを基に早期に対策することができる。
【発明を実施するための最良の形態】
【００２３】
本発明は次のような手段でレシピを自動生成し，前記レシピを用いて自動撮像・計測を行う機能を備えたＳＥＭ装置ならびにその方法に関するものである。
【００２４】
（1）ＥＰの座標データと前記ＥＰを含む回路パターンの設計データを入力とし，前記ＥＰ座標データと設計データから，前記ＥＰ内に存在するパターンを計測するための測長カーソルの生成および測長方法の選択あるいは設定を自動で行うことを本発明の特徴とする。前記測長カーソルおよび測長方法はレシピとして保存される。設計データを基に処理を行うことによって，レシピ生成時にＳＥＭ撮像する必要がなく，作業のオフライン化が図れると共に，装置稼働率の向上に繋がる。ＥＰの座標は，例えばＥＤＡツールで実行される露光シミュレーション等の結果を基に検出されたホットスポット（危険ポイント）の座標が入力される。あるいは，ユーザが自身の判断により（必要に応じて前記ＥＤＡツールの情報も参考にしながら）入力される場合もある。
前記測長カーソルの生成においては，設計データ上で測長カーソルの位置と形状を決定する（測長カーソルは設計データと座標がリンクしている）。対応するＥＰを実際にＳＥＭ撮像した後，設計データとＳＥＭ画像とをマッチングすることにより両者の位置関係が求まり，同時に測長カーソルとＳＥＭ画像との位置関係も求まるため，ＳＥＭ画像上に測長カーソルを自動配置することができる。
また，前記測長方法の選択あるいは設定とは，具体的には測長アルゴリズムや測長パラメータの選択あるいは設定である。前記選択あるいは設定は，必要に応じて測長種や計測対象のパターンの形状やパターン輪郭線の向き等の情報も考慮しながら行われる。
【００２５】
（2）前記項目（1）において，測長カーソルを自動生成するためには，ＥＰ内において計測すべき計測ポイント（ＭＰ）の座標を知る必要がある。ＥＰ座標（ＥＰ領域の中心座標）がＭＰ座標と一致する場合もあるが，一致しない場合やＥＰ内に複数のＭＰが存在する場合もある。また，ＭＰ座標がユーザからの入力等によって与えられたとしても，座標値に誤差が含まれる可能性がある。そこで，ＥＰの座標データと前記ＥＰを含む回路パターンの設計データを基にＭＰ座標を計算機内で推定し，前記推定したＭＰ座標を基に測長カーソルを生成することを本発明の特徴とする。
【００２６】
（3）前記項目（1）において，測長カーソルを自動生成するためには，ＥＰ内のＭＰの測長種を知る必要がある。すなわち，ＭＰにおいてどのようなパターンの形状変形が発生する可能性があり，前記形状変形に対してどのような寸法値を計測・管理する必要があるかが分からなければ，測長カーソルを設定することはできない。またこのような測長種をユーザが手動で全て指定するのは容易でない。そこで，ＥＰの座標データと前記ＥＰを含む回路パターンの設計データを基に測長種を計算機内で推定し，前記推定した測長種を基に測長カーソルを生成することを本発明の特徴とする。ここで，測長種とはＭＰにおける計測のバリエーションであり，具体的にはラインパターンの線幅計測，ラインパターン間のギャップ計測，ライン端部の後退量，コンタクトホール径の計測，ＯＰＣ（Optical Proximity Correction：光近接効果補正）形状の計測等が挙げられる。また単に「線幅計測」等のカテゴリだけでなく，配線領域のどこの部分とどこの部分の距離を計測するかという計測部位の情報や，例えば「後退量」の計測であればどの方向への後退量を計測するかという計測方向の情報も測長種に含めることができる。
【００２７】
（4）前記項目（3）において，ＥＰにおいて発生しうる不良の候補（以後，不良候補と呼ぶ）を与え，前記不良候補の情報を基に測長種を推定し，前記推定した測長種を基に測長カーソルを生成することを本発明の特徴とする。不良候補とは，例えばパターン同士が連結する可能性がある，あるいはパターンが断線する可能性がある等の不良モードである。ＥＤＡツール等の解析結果を参照しながら発生する可能性が最も高い不良候補を入力する，あるいはユーザが特に回避したいと考える不良候補を入力することが可能である。前記不良候補は複数入力することも可能である。不良候補の情報から，ユーザのＥＰにおけるパターン形状の管理意図を反映するように，計測ツールであるＳＥＭがどのようにＭＰを計測するか（すなわち測長種）を決定する。
【００２８】
（5）前記項目（2）（3）において，測長種／ＭＰの推定はＥＰを含む回路設計パターンから算出された，各パターン部位において測長種の候補，発生しうる欠陥の候補，回路属性，変形し易さ，設計データ上の計測長，評価ポイント中心からの距離の少なくとも一つ以上の組み合わせからなる属性情報を算出し，前記属性情報に基づく推定ルールによりＥＰにおける測長種／ＭＰの候補を抽出することを本発明の特徴とする。複数の属性情報を加味することにより，高い精度で測長種／ＭＰの推定が可能となる。
【００２９】
（6）前記項目（5）において，推定ルールの生成はユーザにとって困難な作業となることがある。また，システムがデフォルトで用意した推定ルールはユーザの判断基準と異なる場合がありうる。そこでユーザカスタマイズを容易に行う仕組みとして，少なくとも一つ以上のＥＰと前記ＥＰにおけるＭＰの位置との組み合わせ教示，あるいはＥＰと前記ＥＰにおける測長種との組み合わせ教示により前記推定ルールが最適化されることを本発明の特徴とする。
【００３０】
（7）前記項目（1）において，ＥＰを含む回路設計パターンを基にＥＰにおけるＳＥＭ撮像条件を求め，レシピに保存することを本発明の特徴とする。前記ＳＥＭ撮像条件には少なくとも電子ビームの走査方向を含むことを特徴とする。ＳＥＭ画像の生成するための電子ビームの二次元走査ではラスタスキャンが一般的であるが，例えばＸ方向に連続的な電子ビームスキャンをＹ方向に離散的にずらしながら複数回行うことで二次元領域のスキャンを行う場合と，Ｙ方向に連続的な電子ビームスキャンをＸ方向に離散的にずらしながら複数回行うことで二次元領域のスキャンを行う場合とで，得られるＳＥＭ画像が異なる。そのため，ＥＰ内における計測部位や計測方向を考慮して，計測に有利なＳＥＭ画像が得られるスキャン方式を自動設定することが有効である。前記スキャン方式はＸあるいはＹ方向に平行なスキャンに限らず，斜め方向のスキャンやＥＰ内の場所によってスキャン方向が異なる等のバリエーションがありうる。
【００３１】
（8）前記項目（1）において，測長カーソルの情報を基にＥＰの撮像範囲あるいは座標を最適化することを本発明の特徴とする。撮像範囲は，ユーザが見たい範囲という観点の他に，ＭＰにおいて所望の部位の計測が良好な計測精度で実現されるという観点からも決定されなければならない。そのため，撮像範囲は計測精度の観点から少なくとも必要とされる測長カーソルの範囲を含むように設定される必要がある。また，ユーザが与えたＥＰの座標を必要に応じて変更することが可能である。ＥＰ座標の最適化とは大きく（a）ＥＰの座標や撮像範囲を変更する，（b）複数ＥＰの視野をマージして一つのＥＰを新たに設定する，（c）一つのＥＰの視野を分割して複数のＥＰを設定するの三つあるいはそれらの任意の組み合わせを含む。それぞれの処理内容や効果について次に具体例を示す。
（a）について，ＭＰ（あるいは計測に要する測長カーソル等を含む撮像領域）の位置が分かると，前記ＭＰに対してＥＰの中心がずれているか否かを判別することができ，ずれている場合，ＥＰの視野をＭＰの中心と合わせることにより，ＭＰをＥＰ視野の中央付近で撮像することができる。また，例えば撮像ずれに対しても十分に測長カーソルの範囲がＥＰの視野内におさまるように撮像範囲を調整することができる。
（b）について，例えば密集した連続パターンを順に撮像・計測する場合，パターン毎に設定された撮像範囲同士が重複する場合がある。この場合，あるＥＰの撮像時に他のＥＰ内に含まれる計測領域（計測を行うために必要なＳＥＭ画像の領域）にコンタミネーションを発生させてしまい，計測精度を低下させる危険性がある。そこで，各ＥＰに含まれるパターンをまとめて一つの視野におさまるようにEP領域を再設定することにより，前記計測領域でのコンタミネーションの発生を抑制することができる。ＥＰをマージする際には，マージ後の視野あるいは撮像倍率が所定の大きさ以内であるか（低倍率になると一般に計測精度が低下するため），またマージ前のＥＰのＳＥＭ撮像条件（電子ビームの走査方向等）等が一致しているか等を加味して決定することができる。
（c）について，例えばＥＰ内に複数のＭＰが含まれており，更に前記複数のＭＰで計測するパターンの方向がそれぞれ異なるため，ＭＰ毎にＳＥＭ撮像条件（電子ビームの走査方向）を変えたい場合は，それぞれのＭＰをＥＰとして分割し，異なるＳＥＭ撮像条件で撮像するのが有効である。また，ＥＰ内に多くのＭＰが含まれ，かつＥＰの視野ぎりぎりにＭＰが配置されている場合は，ＥＰ撮像時の視野ずれによりＭＰの計測領域の一部が視野外となってしまう危険性がある。このような場合もＥＰの分割が有効である。
【００３２】
（9）前記項目（1）において，複数のＥＰを撮像する際にはレシピにＥＰの撮像順序を設定する必要があるが，ユーザのＥＰ入力順をそのまま撮像順序とするのではなく，ＥＰの座標と前記ＥＰのＳＥＭ撮像条件を基に撮像順序を最適化することを本発明の特徴とする。ＥＰ全点での撮像のスループット向上のためにはＳＥＭのステージシフトやイメージシフトの総移動距離を少なくすることが有効である。また，撮像条件の変更に要する時間を考慮し前記撮像条件の変更回数を少なくすることも有効である。そのため前記ＥＰの座標と前記ＥＰあるいはＳＥＭ撮像条件を基にスループットが短くなる撮像順序を決定する。
【００３３】
（10）ウェーハレスでＳＥＭ装置を用いずに作成したレシピを用いて実際にＥＰを撮像・計測する際には，実際にウェーハ上に形成されたパターンと設計データにおけるパターンとの形状乖離が問題になりうる。そこで，前記項目（1）においてＥＰのＳＥＭ画像上に測長カーソルを自動配置した後，前記SEM画像におけるパターンと設計データにおけるパターンとの形状乖離を算出し，前記形状乖離の情報に基づき測長カーソルの位置あるいは形状を修正することを本発明の特徴とする。本処理により，実際のパターンの形状や位置が多少設計データと異なっていても正しく測長することができる。
【００３４】
（11）レシピで指定する項目の中には，設計データのみでは正確に決定できない項目がある。例えばライン端部の後退量を計測する場合，前記端部の位置を正確に検出しなければならないが，リソグラフィの解像限界によりパターンのコーナ部はマスクパターンに対し丸まってしまう場合がある。直線部分が多ければ直線当てはめにより端部を検出するアルゴリズムが考えられるが，丸まり部分か支配的であれば曲線当てはめにより端部を検出するアルゴリズムが考えられる。しかし，設計データのみから端部の丸まり度合いを推測するのは限界がある。また，製造プロセスの変動により丸まり度合いも変化しうる。このような問題を解決するため，前記ＳＥＭ画像を基に測長方法の一部又は全ての情報を変更することを本発明の特徴とする。前記項目（10）と本項目（11）は，ウェーハレスで設計データを基に生成したレシピが，実際のパターンに対して良好に適用できるようにするための仕組みである。
【００３５】
（12）EPの座標，設計データ，測長種／ＭＰ，レシピの生成ルール，生成されたレシピ，実際の撮像シーケンスによって撮像した画像，計測結果，撮像あるいは計測の成否の少なくとも一つ以上の組み合わせを関連付けてデータベースで管理し，一つあるいは複数台のＳＥＭ装置でレシピをネットワーク等で共有可能なことを本発明の特徴とする。
つぎに，図１〜図１３を用いて本発明を具体的に説明する。
【００３６】
１． ＳＥＭ 
１．１  ＳＥＭ構成要素 
図１は本発明において試料の二次電子像（Secondary Electron：ＳＥ像）あるいは反射電子像（Backscattered Electron：ＢＳＥ像）を取得する走査型電子顕微鏡（Scanning Electron Microscope：ＳＥＭ）の構成概要のブロック図を示す。また，ＳＥ像とＢＳＥ像を総称してＳＥＭ画像と呼ぶ。また，ここで取得される画像は測定対象を垂直方向から電子ビームを照射して得られたトップダウン画像，あるいは任意の傾斜角方向から電子ビームを照射して得られたチルト画像の一部または全てを含む。
【００３７】
電子光学計１０２は内部に電子銃１０３を備え，電子線１０４を発生する。電子銃１０３から発射された電子線はコンデンサレンズ１０５で細く絞られた後，ステージ１１７上におかれた試料である半導体ウェーハ１０１上の任意の位置において電子線が焦点を結んで照射されるように，偏向器１０６および対物レンズ１０８により電子線の照射位置と絞りとが制御される。電子線を照射された半導体ウェーハ１０１からは，２次電子と反射電子が放出され，ExB偏向器１０７によって照射電子線の軌道と分離された２次電子は２次電子検出器１０９により検出される。一方，反射電子は反射電子検出器１１０および１１１により検出される。反射電子検出器１１０と１１１とは互いに異なる方向に設置されている。２次電子検出器１０９および反射電子検出器１１０および１１１で検出された２次電子および反射電子はA/D変換機１１２，１１３，１１４でデジタル信号に変換され，処理・制御部１１５に入力されて，画像メモリ１２２に格納され，ＣＰＵ１２１で目的に応じた画像処理が行われる。
【００３８】
図２に半導体ウェーハ上に電子線を走査して照射した際，半導体ウェーハ上から放出される電子の信号量を画像化する方法を示す。電子線は，例えば図２（ａ）に示すようにｘ，ｙ方向に２０１〜２０３又は２０４〜２０６のように走査して照射される。電子線の偏向方向を変更することによって走査方向を変化させることが可能である。ｘ方向に走査された電子線２０１〜２０３が照射された半導体ウェーハ上の場所をそれぞれＧ1〜Ｇ3で示す。同様にｙ方向に走査された電子線２０４〜２０６が照射された半導体ウェーハ上の場所をそれぞれＧ4〜Ｇ6で示す。前記Ｇ1〜Ｇ6において放出された電子の信号量は，それぞれ図２（ｂ）内に示した画像２０９における画素Ｈ1〜Ｈ6の明度値になる（Ｇ，Ｈにおける添字1〜6は互いに対応する）。２０８は画像上のｘ，ｙ方向を示す座標系である。このように視野内を電子線で走査することにより，画像フレーム２０９を得ることができる。また実際には同じ要領で前記視野内を電子線で何回か走査し，得られる画像フレームを加算平均することにより，高S／Nな画像を得ることができる。加算フレーム数は任意に設定可能である。
【００３９】
図1中の処理・制御部１１５はＣＰＵ１２１と画像メモリ１２２を備えたコンピュータシステムであり，レシピを基に撮像ポイントを撮像するため，ステージコントローラ１１９や偏向制御部１２０に対して制御信号を送る，あるいは半導体ウェーハ１０１上の任意の撮像ポイントにおける撮像画像に対し各種画像処理を行う等の処理・制御を行う。ここで撮像ポイントとはアドレッシングポイント（以降，ＡＰと呼ぶ），オートフォーカスポイント（以降，ＡＦと呼ぶ），オートスティグマポイント（以降，ＡＳＴと呼ぶ），オートブライトネス・コントラストポイント（以降，ＡＢＣＣと呼ぶ），評価ポイント（以降，ＥＰと呼ぶ）の一部または全てを含む。また，処理・制御部１１５は処理端末１１６（ディスプレイ，キーボード，マウス等の入出力手段を備える）と接続されており，ユーザに対して画像等を表示する，あるいはユーザからの入力を受け付けるＧＵＩ（Graphic User Interface）を備える。１１７はＸＹステージであり，半導体ウェーハ１０１を移動させ，前記半導体ウェーハの任意の位置の画像撮像を可能にしている。ＸＹステージ１１７により撮像位置を変更することをステージシフト，例えば偏向器１０６により電子線を偏向することにより観察位置を変更することをビームシフトと呼ぶ。一般にステージシフトは可動範囲は広いが撮像位置の位置決め精度が低く，逆にビームシフトは可動範囲は狭いが撮像位置の位置決め精度が高いという性質がある。
【００４０】
図１では反射電子像の検出器を２つ備えた実施例を示したが，前記反射電子像の検出器をなくすことも，数を減らすことも，数を増やすことも可能である。
【００４１】
前述したコンピュータシステム１１５では，後述する方法によりレシピを生成し，前記レシピに基づきＳＥＭ装置を制御することによりＥＰの撮像・計測を行う。これらの処理・制御の一部又は全ては異なる複数台の処理端末に割り振って処理・制御することも可能である。詳細は図１２を用いて後述する。また，１２３はコンピュータシステム１１５における撮像・計測レシピ生成の入力となるＥＰの座標やウェーハ１０１上に形成される半導体回路パターンの設計レイアウト情報（以降，設計データと呼ぶ）を格納したデータベースである。また，また前記データベースには計測結果やコンピュータシステム１１５において生成したレシピを保存・共有することも可能である
図１に示す装置を用いて測定対象を任意の傾斜角方向から観察したチルト画像を得る方法としては（１）電子光学系より照射する電子線を偏向し，電子線の照射角度を傾斜させて傾斜画像を撮像する方式（例えば特開２０００−３４８６５８号），（２）半導体ウェーハを移動させるステージ１１７自体を傾斜させる方式（図1においてはチルト角１１８でステージが傾斜している），（３）電子光学系自体を機械的に傾斜させる方式等がある。
【００４２】
１．２  ＳＥＭ撮像シーケンス 
前述のＳＥＭを用いたＥＰの撮像に関して，図３（ａ）に示すＡＰ，ＡＦ，ＡＳＴ，ＡＢＣＣの撮像を含む代表的な撮像シーケンスを例に補足説明する。
【００４３】
まず図３（ａ）のステップ３０１において試料である半導体ウェーハをＳＥＭ装置のステージ１１７上に取り付ける。ステップ３０２において光学顕微鏡等でウェーハ上のグローバルアライメントマークを観察することにより，ウェーハの原点ずれやウェーハの回転を補正する。
【００４４】
ステップ３０３において，処理・制御部１１５の制御及び処理に基づいてステージ１１７を移動して，撮像位置をＡＰに移動して撮像し，アドレッシングのパラメータを求め，該求められたパラメータに基づいてアドレッシングを行う。ここでアドレッシングについて説明を加えておく。ＥＰを観察する場合，ステージシフトにより直接ＥＰを観察しようとすると，ステージの位置決め精度により，大きく撮像位置がすれてしまう危険性がある。そこで，一旦位置決め用として予め撮像ポイントの座標値とテンプレート（撮像ポイントのパターン。データ形式はＳＥＭ画像でも設計データでもよい）とが与えられたＡＰをステージシフトにより観察する。前記テンプレートはレシピに登録されるので，以降，登録テンプレートと呼ぶ。
【００４５】
ＡＰはＥＰの周辺領域（ビームシフトにより移動可能な範囲）から選択する。また，ＡＰはＥＰに対して一般に低倍視野であるため，多少の撮像位置のずれに対しても，登録テンプレート内のパターンが全て視野外となる危険性は低い。そこで，ＡＰの登録テンプレートと，実際に撮像されたＡＰのＳＥＭ像（実撮像テンプレート）とをマッチングすることにより，ＡＰにおける撮像ポイントの位置ずれ量を推定することができる。ＡＰ，ＥＰの座標値は既知なので，ＡＰ−ＥＰ間の相対変位ベクトルを求めることができ，かつＡＰにおける撮像ポイントの位置ずれ量も前述のマッチングにより推定できるため，前記相対変位量から前記位置ずれ量を差し引くことにより，実際に移動すべきＡＰ撮像位置からＥＰまでの相対変位ベクトルが分かる。前記相対変位ベクトル分だけ，位置決め精度の高いビームシフトによって移動することにより，高い座標精度でＥＰを撮像することが可能となる。
【００４６】
次にステップ３０４において，処理・制御部１１５の制御及び処理に基づいて，ビームシフトにより撮像位置をＡＦに移動して撮像し，オートフォーカス調整のパラメータを求め，該求められたパラメータに基づいてオートフォーカス調整を行う。図３（ａ）のフロー図では，ＥＰを鮮明に撮像するためのオートフォーカス処理がステップ３０４において行われているが，同様にＡＰを鮮明に撮像するためのＡＦを，ステップ３０３の前に設定して前記ＡＦを用いたオートフォーカス処理をＡＰ撮像前に行う等のバリエーションがありうる（後述するＡＳＴ，ＡＢＣＣに関しても同様）。
【００４７】
次にステップ３０５において，処理・制御部１１５の制御及び処理に基づいて，ビームシフトにより撮像位置をＡＳＴに移動して撮像し，オートスティグマ調整（非点収差補正）のパラメータを求め，該求められたパラメータに基づいてオートスティグマ調整を行う。
【００４８】
次にステップ３０６において，処理・制御部１１５の制御及び処理に基づいて，ビームシフトにより撮像位置をＡＢＣＣに移動して撮像し，ブライトネス・コントラスト調整のパラメータを求め，該求められたパラメータに基づいてオートブライトネス・コントラスト調整を行う（ＥＰ撮像時に適切な明度値及びコントラストをもつ鮮明な画像を取得するため，例えば二次電子検出器１０９におけるフォトマル（光電子増倍管）の電圧値等のパラメータを調整することよって，例えば画像信号の最も高い部分と最も低い部分とがフルコントラストあるいはそれに近いコントラストになるように調整する）。
【００４９】
最後にステップ３０７においてビームシフトにより撮像ポイントをＥＰに移動して撮像し，設定された計測条件でパターンの測長を行う。
【００５０】
図３（ｂ）にＥＰからのビームシフト可能領域３０８上におけるＥＰ３０９，ＡＰ３１０，ＡＦ３１１，ＡＳＴ３１２，ＡＢＣＣ３１３のテンプレート位置の一例を点線枠で図示する。なお，前述したステップ３０３，３０４，３０５，３０６は場合によって一部あるいは全てが省略される，あるいはステップ３０３，３０４，３０５，３０６の順番が任意に入れ替わる，あるいはＡＰ，ＡＦ，ＡＳＴ，ＡＢＣＣの座標で重複するものがある（例えばオートフォーカス，オートスティグマを同一箇所で行う）等のバリエーションがありうる。
【００５１】
２．  レシピ自動生成処理フロー 
本発明は，ＳＥＭのレシピを自動生成する方法に関する。レシピ生成時間の短縮およびオペレータの負担軽減を図るには自動化率の向上が不可欠であり，そのためには，オペレータがマニュアル生成したレシピと同等あるいはそれ以上の性能をもつレシピをいかに自動かつ高速に生成できるかが課題である。図４を用いて本発明の処理フローを説明する。
【００５２】
２．１  データ入力  
まず，ＥＰの座標と半導体回路パターンの設計データを入力する（それぞれステップ４０１，４０２）。ＥＰの座標は，例えばＥＤＡ（Electronic Design Automation）ツールで実行される露光シミュレーション等の結果を基に検出されたホットスポット（危険ポイント）の座標が入力される。あるいは，ユーザが自身の判断により（必要に応じて前記ＥＤＡツールの情報も参考にしながら）入力される場合もある。更にＥＰの属性情報が得られる場合もあり，必要に応じて前記属性情報を入力することもできる（ステップ４０３）。前記属性情報には，ＥＰにおいて発生しうる不良の候補（以後，不良候補と呼ぶ）等が挙げられる。不良候補とは，ＥＰにおいて例えばパターン同士が連結する可能性がある（bridging），あるいはパターンが細る又は断線する可能性がある（necking）等の不良モードである。ＥＤＡツール等の解析結果を参照しながら発生する可能性が最も高い不良候補を入力する，あるいはユーザが特に回避したいと考える不良候補を入力することが可能である。前記不良候補は一つのＥＰについて複数入力することも可能である。
【００５３】
２．２  測長種推定／MP推定ステップ  
次に計測レシピ生成部４０６において，各ＥＰ毎に測長種あるいはＭＰの座標を推定する（ステップ４０７）。後述するステップ４０８において測長カーソルを生成するためには，ＥＰ内のどこに計測すべきパターンがあり，かつ前記計測したいパターンにおいてどのような計測がしたいかが分からなければならない。前記ＭＰ座標の推定に関して，ＥＰ座標（ＥＰ領域の中心座標）がＭＰ座標と一致する場合もあるが，一致しない場合やＥＰ内に複数のＭＰが存在する場合もある。また，ＭＰ座標がユーザからの入力等によって与えられたとしても，座標値に誤差が含まれる可能性がある。そこで，ＥＰの座標データと前記ＥＰを含む回路パターンの設計データを基にＭＰ座標を計算機内で推定する。また前記測長種とはＭＰにおける計測のバリエーションであり，具体的にはラインパターンの線幅計測，ラインパターン間のギャップ計測，ライン端部の後退量，コンタクトホール径の計測，ＯＰＣ（Optical Proximity Correction：光近接効果補正）形状の計測等が挙げられる。また単に「線幅計測」等のカテゴリだけでなく，配線領域のどこの部分とどこの部分の距離を計測するかという計測部位の情報や，例えば「後退量」の計測であればどの方向への後退量を計測するかという計測方向の情報も測長種に含めることができる。
【００５４】
測長種／ＭＰの決定においてはステップ４０３において入力した不良候補等のＥＰ属性情報を考慮しながら，ユーザのＥＰにおけるパターン形状の管理意図を反映するように，計測ツールであるＳＥＭがどのようにＭＰを計測するか（すなわち測長種）を決定することができる。測長種／ＭＰを計算機内で推定するための推定ルールは， システム内部に用意された推定ルールや推定のための処理パラメータに関するデフォルト値を必要に応じて入力し，用いることができる（ステップ４０４）。また，測長種／ＭＰに関するユーザの要求仕様（例えば，「なるべく設計上の寸法値が小さい部位を計測して欲しい」あるいは「こういうパターンに対しては，この部位を計測して欲しい」という具体的な要求等）も必要に応じて入力し，前記要求仕様を考慮して推定ルールを生成することができる（ステップ４０５）。
【００５５】
２．３  測長カーソル生成／測長方法決定ステップ  
次にステップ４０８において，測長カーソルの生成や測長方法の選択や決定を行う。前記測長カーソルの生成においては，設計データ上で測長カーソルの位置と形状を決定する（測長カーソルは設計データと座標がリンクしている）。また，前記測長方法の決定とは，具体的には測長アルゴリズムや測長パラメータの決定である。前記測長方法の選択あるいは設定は，必要に応じて測長種や計測対象のパターンの形状やパターン輪郭線の向き等の情報も考慮しながら行われる。
【００５６】
２．４  ＳＥＭ撮像条件決定ステップ  
次にステップ４０９において，ＥＰにおけるＳＥＭの撮像条件を決定する。前記ＳＥＭ撮像条件には少なくとも電子ビームの走査方向を含む。ＳＥＭ画像の生成するための電子ビームの二次元走査ではラスタスキャンが一般的であるが，例えばＸ方向に連続的な電子ビームスキャンをＹ方向に離散的にずらしながら複数回行うことで二次元領域のスキャンを行う場合と，Ｙ方向に連続的な電子ビームスキャンをＸ方向に離散的にずらしながら複数回行うことで二次元領域のスキャンを行う場合とで，得られるＳＥＭ画像が異なる。そのため，ＥＰ内における計測部位や計測方向を考慮して，計測に有利なＳＥＭ画像が得られるスキャン方式を自動設定することが有効である。前記スキャン方式はＸあるいはＹ方向に平行なスキャンに限らず，斜め方向のスキャンやＥＰ内の場所によってスキャン方向が異なる等のバリエーションがありうる。
【００５７】
２．５  EP撮像範囲／座標最適化ステップ  
次にステップ４１０において，ＥＰの撮像範囲や座標の最適化を行う。撮像範囲は，ユーザが見たい範囲という観点の他に，ＭＰにおいて所望の部位の計測が良好な計測精度で実現されるという観点からも決定されなければならない。そのため，撮像範囲は計測精度の観点から少なくとも必要とされる測長カーソルの範囲を含むように設定される必要がある。また，ユーザが与えたＥＰの座標を必要に応じて変更することが可能である。ＥＰ座標の最適化とは大きく（a）ＥＰの座標や撮像範囲を変更する，（b）複数ＥＰの視野をマージして一つのＥＰを新たに設定する，（c）一つのＥＰの視野を分割して複数のＥＰを設定するの三つあるいはそれらの任意の組み合わせを含む。それぞれの処理内容や効果について次に具体例を示す。
【００５８】
（a）について，ＭＰ（あるいは計測に要する測長カーソル等を含む撮像領域）の位置が分かると，前記ＭＰに対してＥＰの中心がずれているか否かを判別することができ，ずれている場合，ＥＰの視野をＭＰの中心と合わせることにより，ＭＰをＥＰ視野の中央付近で撮像することができる。また，例えば撮像ずれに対しても十分に測長カーソルの範囲がＥＰの視野内におさまるように撮像範囲を調整することができる。
【００５９】
（b）について，例えば密集した連続パターンを順に撮像・計測する場合，パターン毎に設定された撮像範囲同士が重複する場合がある。この場合，あるＥＰの撮像時に他のＥＰ内に含まれる計測領域にコンタミネーションを発生させてしまい，計測精度を低下させる危険性がある。そこで，各ＥＰに含まれるパターンをまとめて一つの視野におさまるようにEP領域を再設定することにより，前記計測領域でのコンタミネーションの発生を抑制することができる。ＥＰをマージする際には，マージ後の視野あるいは撮像倍率が所定の大きさ以内であるか（低倍率になると一般に計測精度が低下するため），またマージ前のＥＰのＳＥＭ撮像条件（電子ビームの走査方向等）等が一致しているか等を加味して決定することができる。
【００６０】
（c）について，例えばＥＰ内に複数のＭＰが含まれており，更に前記複数のＭＰで計測するパターンの方向がそれぞれ異なるため，ＭＰ毎にＳＥＭ撮像条件（電子ビームの走査方向）を変えたい場合は，それぞれのＭＰをＥＰとして分割し，異なるＳＥＭ撮像条件で撮像するのが有効である。また，ＥＰ内に多くのＭＰが含まれ，かつＥＰの視野ぎりぎりにＭＰが配置されている場合は，ＥＰ撮像時の視野ずれによりＭＰの計測領域の一部が視野外となってしまう危険性がある。このような場合もＥＰの分割が有効である。
【００６１】
２．６  撮像シーケンス決定ステップ  
次に撮像レシピ生成部４１１において，各ＥＰを撮像するための撮像レシピを生成する。具体的には，図３を用いて説明したＡＰ，ＡＦ，ＡＳＴ，ＡＢＣＣの一部又は全ての調整ポイントの設定を含む撮像シーケンスの決定を行い（ステップ４１２），必要に応じて調整ポイントあるいはＥＰの各テンプレートを登録テンプレートとしてレシピに登録する（ステップ４１３）。さらに計測レシピの生成４０６において決定したＥＰ座標，あるいは測長種，あるいはＳＥＭ撮像条件を基にＥＰの撮像順序を決定する。
【００６２】
２．７  撮像・計測レシピ生成ステップ  
ステップ４１４において計測レシピ生成部４０６と撮像レシピ生成部４１１において決定された各種パラメータ（測長カーソル，測長方法，撮像シーケンス，登録テンプレート等）をレシピ（又は撮像・計測レシピ）に保存する。実施例中には撮像レシピ，計測レシピに設定すべき項目や推定手順を切り分けて説明したが，前述の通り各レシピで指定される各設定項目は任意の組み合わせで管理することが可能である。設計データを基に処理を行うことによって，ステップ４１４までレシピ生成処理には実際のウェーハやＳＥＭ撮像する必要がなく，作業のオフライン化が図れると共に，装置稼働率の向上に繋がる。
【００６３】
２．８  ＥＰ撮像ステップ  
次に撮像・計測部４１6において，実際のウェーハを用いた撮像・計測を行う。まず，ＳＥＭ装置にウェーハを投入し（ステップ４１５），レシピに基づきＥＰを撮像する（ステップ４１７）。
【００６４】
２．９  測長カーソル配置／修正ステップ  
ＥＰの撮像後，前記ＥＰのＳＥＭ画像と対応する設計データとをマッチングすることにより両者の位置関係が求まり，同時に測長カーソルとＳＥＭ画像との位置関係も求まるため，ＳＥＭ画像上に測長カーソルを自動配置することができる（ステップ４１８）。ただし，設計データを基にウェーハレスで作成したレシピを用いて実際にＥＰを撮像・計測する際には，実際にウェーハ上に形成されたパターンと前記設計データにおけるパターンとの形状乖離が問題になりうる。そこで，ステップ４１８においてＥＰのＳＥＭ画像上に測長カーソルを自動配置した後，前記SEM画像におけるパターンと設計データにおけるパターンとの形状乖離を算出し，前記形状乖離の情報に基づき測長カーソルの位置あるいは形状を修正する（ステップ４１９）。本処理により，実際のパターンの形状や位置が多少設計データと異なっていても正しく測長することができる。
【００６５】
２．１０  測長方法変更ステップ  
前述の測長カーソルの位置や形状と同様，レシピで指定する項目の中には，設計データのみでは正確に決定できない項目がある。例えばライン端部の後退量を計測する場合，前記端部の位置を正確に検出しなければならないが，リソグラフィの解像限界によりパターンのコーナ部はマスクパターンに対し丸まってしまう場合がある。直線部分が多ければ直線当てはめにより端部を検出するアルゴリズムが考えられるが，丸まり部分か支配的であれば曲線当てはめにより端部を検出するアルゴリズムが考えられる。しかし，設計データのみから端部の丸まり度合いを推測するのは限界がある。また，製造プロセスの変動により丸まり度合いも変化しうる。このような問題を解決するため，前記ＳＥＭ画像を基に測長方法の一部又は全ての情報を実際のＳＥＭ画像を取得した後に必要に応じて変更する（ステップ４２０）。前記ステップ４１９，４２０は，ウェーハレスで設計データを基に生成したレシピが，実際のパターンに対して良好に適用できるようにするための仕組みである。これらの処理はＳＥＭ撮像後に行われるものの，オフラインで決定した設定項目の修正であって，多くの処理時間を要するものでない。大部分の処理はオフラインで実行されており，ＳＥＭ撮像のスループットに大きな影響はない。
【００６６】
２．１１  測長ステップ  
最終的に決定した測長カーソルや測長方法によりＥＰにおけるＳＥＭ画像を用いて測長を行う（ステップ４２１）。また必要に応じて計測の成否判定を行い（ステップ４２２），前記成否判定の結果を基に後述するステップ４２７において必要に応じレシピ生成ルールの変更を行う。前記計測の成否判定は，（ａ）撮像の失敗，（ｂ）計測の失敗 のように失敗原因を分類して解析・管理することができ，更に（ａ）は，（ａ１）アドレッシングの失敗による撮像すれ，（ａ２）フォーカスずれによる画像のボケ 等，（ｂ）は（ｂ１）測長種／ＭＰ推定の失敗，（ｂ２）測長カーソルの位置合わせずれ，（ｂ３）測長カーソルの形状が不適切，（ｂ４）測長方法が不適切 等のように更に詳細分類することもできる。
【００６７】
２．１２  計測結果解析・レシピ生成ルール最適化ステップ  
次に計測結果解析・レシピ生成ルール最適化部４２３において，ステップ４２１で得られた計測結果を基にパターンの出来栄えを解析し（ステップ４２４），必要に応じてマスクパターンの形状補正や半導体製造プロセス条件の変更を実施することにより高い歩留まりを実現する（ステップ４２５）。
【００６８】
また，作成されたレシピやレシピ生成ルール，更にステップ４２２で得られた撮像・計測成否の判定結果や撮像・計測に失敗した場合は失敗原因等の情報を基に，レシピ及び撮像・計測結果の解析を行い（ステップ４２６），必要に応じてレシピ生成ルールの変更を行う（ステップ４２７）。
【００６９】
EPの座標，設計データ，測長種／ＭＰ，レシピの生成ルール，生成されたレシピ，実際の撮像シーケンスによって撮像した画像，計測結果，撮像あるいは計測の成否，撮像あるいは計測の失敗原因の少なくとも一つ以上の組み合わせを関連付けてデータベースで管理し，一つあるいは複数台のＳＥＭ装置でレシピをネットワーク等で共有可能である。装置毎にレシピ生成を行う必要がなくなるという利点の他に，複数台の装置から取得された撮像・計測時の成功，失敗事例を含む結果データを共有するため，早期に多くの結果データを収集することができ，例えばレシピの生成ルールに不具合があった場合，前記不具合を早期に対策することができる。
【００７０】
３．  詳細
以下，図４の処理フローで詳細説明を要する箇所を抜き出し，補足説明する。
【００７１】
３．１  測長種・測長カーソル・ＳＥＭ撮像条件詳細  
前記ステップ４０７〜４０９で述べた測長種，測長カーソル，ＳＥＭ撮像条件の詳細について図６を用いて説明する。図６において６０１，６０４，６０８，６１２，６１５，６２１，６２４，６２８，６３２，６４５，６４８，６５１，６５６はＥＰの撮像範囲を示している。測長種の例として，図６（ａ）はラインパターン６０２の線幅計測，同図（ｂ）はラインパターン６０５−６０６間のスペース計測，同図（ｃ）はラインパターン６０９のライン端部とラインパターン６１０間のギャップ計測，同図（ｄ）はラインパターン６１３のライン端部の後退量計測（伸縮を含む），同図（ｅ）（ｆ）はそれぞれコンタクトホール６１６，６２２の直径計測，同図（ｇ）はパターン６２５の長軸長／短軸長計測，同図（ｈ）はラインパターン６２９−６３０間のギャップ計測，同図（ｉ）はパターン６３３の形状計測（特に点線枠６３４で示したコーナ部の形状）である。同図内において点線枠６０３Ａ，６０３Ｂ，６０７Ａ，６０７Ｂ，６１１Ａ，６１１Ｂ，６１４，６１７Ａ，６１７Ｂ，６１８Ａ，６１８Ｂ，６１９Ａ，６１９Ｂ，６２０Ａ，６２０Ｂ，６２３Ａ，６２３Ｂ，６２６Ａ，６２６Ｂ，６２７Ａ，６２７Ｂ，６３１Ａ，６３１Ｂ，６３４は測長カーソルを示している。また点線枠とセットで矢印が描かれているが，前記矢印は測長箇所を示している。
【００７２】
例えばライン幅を計測するためには，ライン左右のエッジの位置を正確かつ安定に計測する必要がある。そのため，左右のエッジそれぞれにエッジを含む一定サイズの領域（測長カーソルの領域。図６（ａ）においては６０３Ａ，６０３Ｂ）を設定し，前記領域内でＳＥＭ信号をライン方向に積算することにより画像ノイズやラインエッジラフネスの影響を受けにくい積算プロファイルを算出し，前記プロファイルを用いてエッジ位置を検出する。図６（ａ）中α−β間のＳＥＭ信号プロファイルを同図（ｋ）中の６３７に示す。前記ＳＥＭ信号プロファイル６３７のＳ／Ｎを高めるため，例えば測長カーソルの範囲分（６４３）だけｙ方向にＳＥＭ信号を加算平均したプロファイルを用いることも可能である。
【００７３】
ＳＥＭ信号プロファイル６３７において左右のホワイトバンドのピーク位置６３８を検出し，その間を線幅として計測する。本例はＳＥＭ信号プロファイル６３８のピーク間を線幅としているが，プロファイルにおいてどの場所とどの場所の間隔を線幅として計測するかはバリエーションがありうる例えば左右のホワイトバンドにおいてピークの明度値と下地の明度値に対しＸ％の明度値となる位置を求め，その間を計測する等である（前述の計測に代表される測長アルゴリズムにおけるＸ％等のパラメータを測長パラメータと呼ぶ）。前記測長カーソルの位置や形状を決定する位置あるいは寸法パラメータの例を図６（ａ）の拡大図である同図（ｌ）に示す。前記パラメータは，測長カーソル６４０Ａと６４０Ｂの配置位置，前記測長カーソル６４０Ａと６４０Ｂのそれぞれにおけるラインパターン６３９外部のプロファイル参照範囲６４１Ａ，６４１Ｂ，ラインパターン６３９内部のプロファイル参照範囲６４２Ａ，６４２Ｂ，プロファイル積算範囲６４３Ａ，６４３Ｂが挙げられる。これによりライン幅６４４を正確に計測する。ＭＰの座標は，例えば測長カーソル６４０Ａと６４０Ｂの中点（あるいはライン幅６４４の中点）として定義できる。
【００７４】
また，測長カーソルは図６（ａ）中の６０３Ａと６０３Ｂのように対で設定する場合や，図６（ｄ）中の６１４のように単独で指定する場合がある。図６（ｄ）はラインパターン６１３のライン端部の後退量を計測するので，前記ライン端部の位置が測長カーソル６１４内のＳＥＭ信号解析により正確に算出できるように測長カーソルを設定する。
【００７５】
図６（ｅ）においては，平均的なホール径を計測するために，例えばホール６１６周囲に何箇所か測長カーソルを配置し（図例では，６１７Ａと６１７Ｂ〜６２０Ａと６２０Ｂの四箇所），計測した直径の平均を計算する等の処理を行う。図６（ｆ）のように測長カーソル６２３Ａ，６２３Ｂによりホール６２２の一箇所の直径を計測し，前記直径をホール径の代表値とすることもできる。
【００７６】
図6（ｇ）においては，パターン６２５の短径を測長カーソル６２６Ａ，６２６Ｂで，長径を測長カーソル６２７Ａ，６２７Ｂでそれぞれ計測している。測長カーソルの中心をＭＰの座標と定義した場合，前記短径計測と長径計測のＭＰ座標は一致する。このように一つのＭＰ座標に対し，複数の計測種を設定することも可能である。
【００７７】
図６（ｉ）においては，二次元的なパターン輪郭形状の出来栄え評価を行うため，同図（ｊ）に示した領域６３４の拡大図に示すようにＳＥＭ画像上のパターン６３３と前記ＳＥＭ画像上のパターンにオーバーレイ表示した設計データ６３５との間の密な形状ギャップベクトル６３６を求めている。このようにどこか一箇所の寸法計測ではなく複数箇所の計測もありうる。また前記複数箇所の計測値から例えば角の丸まり度合いを定量化し，一つの評価値として出力する等の計測方法もある。更に計測値はＳＥＭ画像上のパターンの任意の部位間の距離に限らず，前述のように例えば設計データとＳＥＭ画像上のパターンの任意の部位との乖離量を計測値とすることもできる。
【００７８】
このように計測するパターンの種類やカーソルを当てる部位の違いを測長種として分類する。
【００７９】
また，測長種には計測方向の情報も含めることができる。図６（ｍ）はＹ方向にのびるラインパターン６４６の線幅，すなわちX方向の寸法を計測する例であり，図６（ｎ）はＸ方向にのびるラインパターン６４９の線幅，すなわちY方向の寸法を計測する例である。このような計測方向の情報は，後述する図４中のステップ４０９においてＳＥＭ撮像条件決定を決定する際に必要な情報となる。ＳＥＭ撮像条件の一つである電子ビームの走査方向の決定方法を例に説明する。図６（ｍ）ではＸ方向の寸法を計測するため，電子ビームの走査はＸ方向に連続的なスキャンが望ましい。そこで，同図中に電子ビームの走査を６４７に模式的に示すように，Ｘ方向に連続的な電子ビームスキャンをＹ方向に離散的にずらしながら複数回行うことにより画像を取得することが考えられる（図ではＹ方向のずらしは模式的に４回としている）。図６（ｎ）ではＹ方向の寸法を計測するため，同様に今度は電子ビームの走査を６５０のように，Ｙ方向に連続的な電子ビームスキャンをＸ方向に離散的にずらしながら複数回行うことにより画像を取得することが考えられる。このように計測方向の情報により，適切なＳＥＭ撮像条件を決定することができる。図６（ｍ）における６６２Ａ，６６２Ｂ及び図６（ｎ）における６６３Ａ，６６３Ｂはそれぞれ測長カーソルを示す。
【００８０】
３．２  測長種推定／MP推定詳細  
前記ステップ４０７で述べた測長種推定／MP推定の詳細について図５を用いて説明する。測長カーソルを自動生成するためには，ＥＰ内の測長種／ＭＰを知る必要がある。すなわち，どの場所でどのようなパターンの形状変形が発生する可能性があり，前記形状変形に対してどのような寸法値を計測・管理する必要があるかが分からなければ，測長カーソルを設定することはできない。またこのような測長種をユーザが手動で全て指定するのは容易でない。そこで，ＥＰの座標データと前記ＥＰを含む回路パターンの設計データを基に測長種／ＭＰを計算機内で推定し，前記推定した測長種／ＭＰを基に測長カーソルを生成する。まず図５中のステップ５０１においてＥＰを選択する。前記ＥＰを含む領域に対応する設計データをステップ５０８で入力し，ステップ５０２において測長種／MP候補を絞込む。ここで，測長種／MP候補が決定した場合（ステップ５０３の「測長種／MP決定」の判定がＹｅｓの場合），ステップ５０４に進むが，測長種／MP候補が決定しなかった場合（ステップ５０３の「測長種／MP決定」の判定がＮｏの場合），ＧＵＩ等を介してユーザに警告を発する（ステップ５１４）。ユーザは測長種が良好に決定しなかった例を参照し，測長種／MPの推定ルールを変更することができる。
【００８１】
図７（ａ）は一例としてＥＰの視野７０１内に含まれるＳＥＭ画像上のパターン７０２，７０３を示している。同図（ｂ）は前記ＥＰに対応する設計データを示しており，パターン７０２，７０３に対応する設計データ上のパターンはそれぞれ７０４，７０５である。前記設定データより推定されるＭＰ座標の候補例を挙げたのが同図（ｄ）〜（ｇ）における７０８，７１０，７１２，７１４，７１６，７１８である。測長種でいうと，ＭＰ７０８は測長カーソル７０９Ａ，７０９Ｂで計測される部位のラインパターンのＸ方向の線幅計測，ＭＰ７１０は同様に測長カーソル７１１Ａ，７１１Ｂで計測される部位のラインパターンのＸ方向の線幅計測，ＭＰ７１２は測長カーソル７１３で計測される部位のＹ方向のライン端部の後退量計測，ＭＰ７１４は測長カーソル７１５で計測される部位のＹ方向のライン端部の後退量計測，ＭＰ７１６は測長カーソル７１７Ａ，７１７Ｂで計測される部位のラインパターン間のギャップ計測，ＥＰ７１８は測長カーソル７１９で計測される部位のＯＰＣ形状計測（コーナの丸み等の計測）である。このように測長種／ＭＰの候補は一つのＥＰに対し複数存在し，実際にユーザが計測したい測長種／ＭＰは，前記候補中の一つかもしれないし，複数個の組み合わせかもしれない。そこで，実際に計測を行う測長種／ＭＰの推定はＥＰを含む回路設計パターン内に含まれる各パターン部位において，測長種の候補，発生しうる欠陥の候補，回路属性，変形し易さ，設計データ上の計測長，ＥＰ中心からの距離の少なくとも一つ以上の組み合わせからなる属性情報を算出し，前記属性情報に基づく推定ルールによりＥＰにおける測長種／ＭＰの候補を抽出する。複数の属性情報を加味することにより，高い精度でユーザの要求する測長種／ＭＰの自動推定が可能となる。
【００８２】
また前述のように，測長種／ＭＰの推定ルールは，必要に応じてＥＰの属性５０９（図４の４０３に対応），デフォルト値５１０（図４の４０４に対応），ユーザ要求仕様５１１（図４の４０５に対応）を考慮して決定することができる。更にユーザ毎の測長種／ＭＰの設定基準の違いを反映するための仕組みとして，ユーザ指定の測長種／MP推定ルールを入力することもできる（ステップ５１２）。ただし，一般に推定ルールの生成はユーザにとって困難な作業である。そこでユーザカスタマイズを容易に行う仕組みとして，少なくとも一つ以上のＥＰと前記ＥＰにおけるＭＰの位置との組み合わせ教示，あるいはＥＰと前記ＥＰにおける測長種との組み合わせ教示をユーザが行うことにより（ステップ５１３），システム内部において前記教示に基づき推定ルールを最適化し，一般的な推定ルールを自動生成することができる。
【００８３】
測長種／ＭＰが決定すると，ステップ５０４において測長カーソル生成／測長方法決定を行い，ステップ５０５において必要に応じＳＥＭ撮像条件の決定を行う。ステップ５０１〜５０５までの処理を撮像すべき全ＥＰに対し繰り返し行い（終了判定はステップ５０６），その後ステップ５０７においてＥＰ撮像範囲／座標最適化を行う（ステップ４１０に相当）。
【００８４】
ちなみに測長種／ＭＰの推定あるいは測長カーソルの生成は，なるべくウェーハ上に形成される実際のパターン形状に近いパターンを基に行うのが有効である。そのため，図７に示す設計データ上のパターン７０４，７０５を変形させたパターン７０６，７０７（以後，変形設計データと呼ぶ）を用いて同推定あるいは同生成を行うことができる。変形設計データの生成方法は，設計データに対しリソシミュレータを用いて生成する方法や，前記リソシミュレータを簡易的に模した形状変形により生成する方法が考えられる。図中の変形設計データ７０６，７０７は，リソグラフィの解像限界によりパターンのコーナ部が丸まることを想定し，設計データ７０４，７０５のコーナ部を丸めた例である。
【００８５】
３．３  EP撮像範囲／座標最適化詳細  
前記ステップ４１０で述べたEP撮像範囲／座標最適化の具体例について図８を用いて説明する。図８（ａ）はユーザが６本のラインパターン８０２〜８０７の線幅をそれぞれ計測したい例である。ＭＰは前記６本のラインパターンに対し，それぞれ８０８〜８１３となる。前記ＭＰの中心に対し，各ラインパターンでの計測が可能なようにＥＰの視野を設定したものが図８（ｂ）中のＥＰ８１４〜８１９である。しかしながら，このようにＥＰを設定すると，各ＥＰの撮像範囲が重複してしまい，あるＥＰの撮像時に他のＥＰ内に含まれる計測領域にコンタミネーションを発生させてしまい，計測精度を低下させる危険性がある。そのため，図８（ｃ）中のＥＰ８２０，８２１に示すようにＥＰの撮像範囲を最適化することができる。本例ではＥＰ８２０を用いてＭＰ８０８〜８１０を，ＥＰ８２１を用いてＭＰ８１１〜８１３を計測することができ，さらに両ＥＰ領域の重複はない。更に撮像回数もＥＰ８１４〜８１９の６回から，ＥＰ８２０，８２１の二回に削減することができる。ちなみに撮像回数の観点から言えば，例えばＭＰ８０８〜８１３の全てを含む領域８０１全体をＥＰとすることも考えられるが，低倍率になると計測精度が悪化してしまう恐れがある。そのため，領域の重複，撮像回数，計測精度等の情報を加味し，適切な折合いをつけたＥＰ撮像範囲もしくはＥＰ座標の設定を行う必要がある。
【００８６】
また，ＥＰ撮像範囲／座標の最適化においてはＥＰにおけるＳＥＭ撮像条件を加味する必要がある。図８（ｄ）〜（ｆ）はＳＥＭ撮像条件の内，電子ビームの走査方向を基にＥＰ撮像範囲／座標を最適化する例である。図８（ｄ）には，設計データ８２３及び８２４に対して三つのＭＰ８２５，８２８，８３０が存在し，初期状態としてそれぞれのＭＰを含むＥＰ８３２，８３３，８３４が設定されている。三つのＭＰの内，ＭＰ８２５，８２８はＸ方向の線幅計測であり，電子ビームの走査方向は図６（ｍ）に示すようにＸ方向に連続的なスキャン，Ｙ方向に離散的なスキャンが望ましい。それに対し，ＭＰ８３０はＹ方向の線幅計測であり，電子ビームの走査方向は図６（ｎ）に示すようにＹ方向に連続的なスキャン，Ｘ方向に離散的なスキャンが望ましい。そのため，ＭＰ８２５，８２８と，ＭＰ８３０とを異なる撮像条件でＳＥＭ撮像する必要があり，両者を同じＥＰとしてマージすることはできない。よって例えば図８（ｅ）に示すようにＭＰ８２５とＭＰ８２８をマージして一つのＥＰ８３５とし，ＭＰ８３０は一つのＥＰ８３６として撮像することが考えられる。逆に図８（ｆ）に示すようにＭＰ８２５は一つのＥＰ８３７に対応しているのに対してＭＰ８２８とＭＰ８３０がマージされたＥＰ８３８が初期状態として与えられた場合は，前述の判断基準に基づき必要に応じて両ＭＰを二つのＥＰに分割することが考えられる。このように，ＥＰの撮像範囲の最適化，ＥＰの統合／分割のためには，測長種，ＭＰ，測長カーソル（８２６Ａ，８２６Ｂ，８２９Ａ，８２９Ｂ，８３１Ａ，８３１Ｂ）の情報を利用することが有効である。
【００８７】
ちなみ，撮像範囲は計測領域（計測を行うために必要なＳＥＭ画像の領域）を適切に含んでいる必要があり，できれば多少の撮像ずれに対しても前記計測領域が視野内に含まれることが望ましい。図６（ｏ）（ｐ）に例に説明する。図６（ｏ）はラインパターン６５２の線幅計測の例であり，測長カーソルは６５３Ａ，６５３Ｂによって与えられる。ＥＰの撮像範囲の設定に関しては最低限，前記即長カーソル６５３Ａ，６５３Ｂを含んでいる必要があるが，例えば視野ずれがＸ方向に距離６５４だけ発生する可能性がある場合，撮像範囲６５１が前記距離６５４だけずれて撮像範囲６５５となっても，前記撮像範囲６５５内に計測範囲が含まれていることが望ましい。同例は視野ずれ量６５４に対して問題ない例である。一方，図６（ｐ）はパターン６５７，６５８間のギャップ計測の例である。図６（ｏ）の例と同様，撮像範囲６５６内に，測長カーソル６５９Ａ，６５９Ｂがおさまっているが，前述の位置ずれ量６５４と同じ大きさの位置ずれ量６６０に対し，撮像範囲が６６１にずれた場合，測長カーソルの一部は視野外となってしまう。このように，撮像範囲は測長カーソルの範囲と視野ずれ量の予想値とを基に決定することが有効である。
【００８８】
３．４  撮像シーケンス決定詳細  
前記ステップ４１２で述べた撮像シーケンス決定の内，ＥＰの撮像順序の決定の具体例について図１１を用いて説明する。図１１（ａ）は低倍の領域において，８つのＥＰが存在する例であり，それぞれＥＰ［１］〜ＥＰ［８］と表示している。ＥＰ［１］，ＥＰ［３］，ＥＰ［５］，ＥＰ［７］の視野内にはそれぞれＸ方向に走るラインパターンが３本含まれており，これらのＥＰをＥＰグループ１と呼ぶ。ＥＰ［２］，ＥＰ［４］，ＥＰ［６］，ＥＰ［８］の視野内にはそれぞれＹ方向に走るラインパターンが３本含まれており，これらのＥＰをＥＰグループ２と呼ぶ。ＥＰグループ１に属するＥＰはそれぞれＹ方向の線幅計測であり，図６（ｎ）中の６５０に示すような電子ビームの走査方向が望ましい。一方，ＥＰグループ２に属するＥＰはそれぞれＸ方向の線幅計測であり，図６（ｍ）中の６４７に示すような電子ビームの走査方向が望ましい。よってＥＰグループ1に属するＥＰを撮像した後，ＥＰグループ２に属するＥＰを撮像する場合，あるいはＥＰグループ２に属するＥＰを撮像した後，ＥＰグループ1に属するＥＰを撮像する場合，視野あるいはビームスキャンのローテーションが必要になる。以上を踏まえて撮像順序の最適化を考える。（例えばユーザが入力した）初期の撮像順序は図１１（ｂ）に示すようにＥＰ［１］〜ＥＰ［８］の順である。それに対し，ローテーションの回数を減らそうと考えると，例えば図１１（ｃ）に示すようにＥＰグループ１の撮像から先に始めて，ＥＰ［１］→ＥＰ［３］→ＥＰ［５］→ＥＰ［７］→ＥＰ［２］→ＥＰ［４］→ＥＰ［６］→ＥＰ［８］となる。ただし，ＥＰ間の視野移動の総距離を短くし，スループットを上げるためには，図１１（ｄ）に示すように，ＥＰ［１］→ＥＰ［5］→ＥＰ［７］→ＥＰ［３］→ＥＰ［２］→ＥＰ［６］→ＥＰ［８］→ＥＰ［４］となる（ＥＰ［１］−ＥＰ［３］間の距離より，ＥＰ［１］−ＥＰ［５］間の距離の方が短いため）。ただし，もしローテーションに要する時間がＥＰ間の視野移動に要する時間に対し，極めて短いのであれば，視野移動の短縮を重視して撮像順序は図１１（ｂ）とすることもありうる。また，ローテーションに要する時間とＥＰ間の視野移動に要する時間が同程度であれば，両者を加味し例えば同図（ｅ）のような撮像順序もありうる（ローテーション回数は同図（ｂ）より少なく，視野移動距離は同図（ｄ）より短い）。このようにＥＰ座標あるいは前記ＥＰにおける少なくとも電子ビームの走査方向を含むＳＥＭ撮像条件を基にＥＰの撮像順序を決定する。
【００８９】
３．５  測長カーソル修正詳細  
前記ステップ４１９で述べた測長カーソル修正の具体例について図９を用いて説明する。本図は測長カーソルを決定する各種位置あるいは寸法パラメータの内，（Ａ）測長カーソル間の距離９０６と，（Ｂ）設計データによるラインパターン９０１外部のプロファイル参照範囲９０３Ａ，９０３Ｂと，（Ｃ）測長カーソル全体の配置位置を修正する例であるが，他の寸法パラメータについても同様に修正は可能である。また，各ＥＰにおける計測値の整合性をとるため，一部又は全ての前記位置あるいは寸法パラメータの修正を行わないように設定することも可能である（例えば，プロファイル積算範囲９０５Ａ，９０５ＢがＥＰによって変わってしまうと計測値を比較できなくなる場合もありうる）。
【００９０】
（Ａ）測長カーソル間の距離修正  
図９（ａ）は図４中のステップ４０８において設計データ９０１に配置された測長カーソル９０２Ａ，９０２Ｂを示している。それぞれの測長カーソル９０２Ａ，９０２Ｂの内部を設計データによるラインパターン９０１の外部のプロファイル参照範囲９０３Ａ，９０３Ｂと設計データによるラインパターン９０１の内部のプロファイル参照範囲９０４Ａ，９０４Ｂとの分けている。図９（ｂ）に示したＳＥＭ観察されたラインパターン９０７のＸ方向の線幅を計測することが目的である。まず，図９（ｃ）に示すようにＳＥＭ画像上のパターン９０７と設計データ９０１をマッチングし，同図（ｄ）に示すように測長カーソル９０２Ａ，９０２ＢをＳＥＭ画像上に配置する。ここで，ＳＥＭ画像上のパターン９０７は設計データ９０１に対し線幅が大きく広がっており（図中では幅９０８Ａ，９０８Ｂだけ広がっている），設定データ上での線幅を想定して配置した測長カーソルの位置がＳＥＭ画像上のパターンのエッジ位置からずれてしまっている。そのため，図９（ｅ）に示すように前記エッジ位置に合わせて測長カーソルの位置をずらすことにより計測を成功させることができる（測長カーソル間の距離９０６を９０９に広げている）。
【００９１】
（Ｂ）パターン外部のプロファイル参照範囲修正  
図９（ｅ）中の９１０はラインパターン９０７を横切るラインα−β間のＳＥＭ信号プロファイルを示している。線幅計測においては，例えばＳＥＭ信号プロファイル９１０の左右のホワイトバンド（凡そラインパターンの左右エッジ位置に対応）においてピークの明度値と下地の明度値に対しＸ％の明度値となる位置を求め，その間を計測する等のアルゴリズムが用いられるが，そのような種々のプロファイル解析を行うためには，前記解析をおこなう計測範囲（測長カーソルの範囲）が前記ホワイトバンドの山を十分に含んでいる必要がある。ラインパターン９０７外部のプロファイル参照範囲９０３Ａ，９０３Ｂは余裕をもって少し長めに設定していたが，実際のＳＥＭ信号プロファイル９１０においては想定以上にホワイトバンドの山の裾引き部分が長く，更に幅９１１Ａ，９１１Ｂだけ広い範囲でプロファイルを解析しなければならないことが分かった。このように場合，図９（ｆ）に示すようにラインパターン９０７外部のプロファイル参照範囲９０３Ａ，９０３Ｂをそれぞれ９１２Ａ，９１２Ｂのように引き伸ばすように修正することによって計測を成功させることができる。
【００９２】
（Ｃ）測長カーソル全体の配置位置修正  
図９（ｇ）中の９１２は上層パターンの設計データ，９１３は下層パターンの設計データである。９１４Ａ，９１４Ｂは測長カーソルであり，上層パターン９１２と下層パターン９１３の交わる場所における上層パターン９１２の線幅９１５を計測するように配置されている。これは，例えばデバイス特性に大きな影響を与えるゲートのアクティブ領域における線幅を計測したいという要求に相当する。図９（ｈ）に設計データ上のパターン９１２，９１３にそれぞれ対応するＳＥＭ画像上のパターン９１６，９１７を表示している。パターン９１７はパターン９１６に対しウェーハ上のパターン積層方向に対し下部に位置しているため，両者が重なる領域において隠れが発生している。図９（ｉ）はウェーハ上のパターンと設計データとをマッチングし，測長カーソル９１４Ａ，９１４Ｂを配置した例である。本例において測長カーソルの配置結果は良好である。一方，図９（ｊ）は製造プロセスの不良により上層パターン９１６（設計データ９１２に対応）と下層パターン９１９（設計データ９１３に対応）がずれてしまった例である（ずれ量は９１８で与えられる）。図9（ｊ）は，上層パターンに関してウェーハ上のパターンと設計データとが一致するようマッチングした結果であるが，その結果，測長カーソルの位置が本来計測したかった上層・下層パターンの重なる位置から少しずれた位置に配置されるという問題が生じている。よって図9（ｋ）に示すように上層パターン９１２とは独立に下層パターン９２１（９１３に対応）をＳＥＭ画像上のパターン９１９とマッチングし，前記下層パターン９２１の位置に連動させて，測長カーソル９２０Ａ，９２０Ｂ（９１４Ａ，９１４Ｂに対応）を配置することにより，所望の箇所の計測が実現する。このようにユーザの計測意図に基づき適切に測長カーソルを配置する必要がある。
【００９３】
３．６  測長方法変更詳細  
前記ステップ４２０で述べた測長方法変更の具体例について図１０を用いて説明する。前記測長方法とは，具体的には測長アルゴリズムや測長パラメータである。図１０（ａ）は設計データ上の二つのパターン１００１，１００２と前記二つのパターン間の距離１００４を計測するための測長カーソル１００３Ａ，１００３Ｂを示している。図１０（ｂ）はＳＥＭ画像上のパターン１００５，１００６と前記設計データとのマッチング結果を示しており，同図（ｃ）は測長カーソル１００３Ｂ付近の拡大図である。測長カーソルを当てはめた後，パターン１００２の端部を精度良く検出するための画像処理アルゴリズムとして，例えば端部に直線部分が多ければ直線当てはめにより端部を検出するアルゴリズムが考えられる。図１０（ｃ）中に示した５つの×印１００７はＳＥＭ画像から検出した端部の特徴点であり，前記特徴点に対し直線を当てはめることにより，端部の形状ばらつきに対し安定に端部を検出することができる（当てはめた直線は１００８）。一方，同様の計測例においてリソグラフィの解像限界によりパターン１００９，１０１０（１００５，１００６に対応）のコーナ部が大きく丸まってしまった例が図１０（ｄ）であり，同図（ｅ）は測長カーソル１００３Ｂ付近の拡大図である。前述の直線当てはめに対し，端部において特徴点１０１１として丸まり部分が支配的であれば曲線当てはめにより端部を検出するアルゴリズムが有効である（当てはめた曲線は１０１２）。このように，例えば端部の丸まり度合いは設計データのみでは正確に推定できない場合がある。このような問題を解決するため，前記ＳＥＭ画像を基に測長方法の一部又は全ての情報を変更することができる。
【００９４】
４．システム構成（データベース管理・共有）
本発明における装置の構成の実施例を図１２（ａ）（ｂ）を用いて説明する。
図１２（ａ）において１２０１はマスクパターン設計装置，１２０２はマスク描画装置，１２０３はマスクパターンの露光・現像装置，１２０４はエッチング装置，１２０５および１２０７はＳＥＭ装置，１２０６および１２０８はそれぞれ前記ＳＥＭ装置を制御するＳＥＭ制御装置，１２０９はＥＤＡ（Electronic Design Automation）ツールサーバ，１２１０はデータベースサーバ，１２１１はデータベースを保存するストレージ，１２１２は画像処理・撮像・計測レシピ作成演算装置，１２１３は撮像・計測レシピサーバ，１２１４は生成したパターン形状の計測・評価ツールサーバであり，これらはネットワーク１２２０を介して情報の送受信が可能である。データベースサーバ１２１０にはストレージ１２１１が取り付けられており，（ａ）ＥＰの座標，（ｂ）設計データ，（ｃ）測長種／ＭＰ，（ｄ）レシピの生成ルール（測長種／ＭＰの推定ルール含む），（ｅ）生成されたレシピ，（ｆ）実際の撮像シーケンスによって撮像した画像，（ｇ）計測結果，（ｈ）撮像あるいは計測の成否，（ｉ）撮像あるいは計測の失敗原因の一部または全てを，品種，製造工程，日時，データ取得装置等とリンクさせて保存し，また参照することが可能である。
【００９５】
また，同図においては例として二台のＳＥＭ装置１２０５，１２０７がネットワークに接続されているが，本発明においては，任意の複数台のＳＥＭ装置において撮像・計測レシピをデータベースサーバ１２１１あるいは撮像・計測レシピサーバ１２１３により共有することが可能であり，一回の撮像・計測レシピ作成によって前記複数台のＳＥＭ装置を稼動させることができる。また複数台のＳＥＭ装置でデータベースを共有することにより，過去の前記撮像あるいは計測の成否や失敗原因の蓄積も早く，これを参照することにより良好な撮像・計測レシピ生成の一助となる。
【００９６】
図１２（ｂ）は一例として図１２（ａ）における１２０６，１２０８，１２０９，１２１０，１２１２〜１２１４を一つの装置１２１６に統合したものである。本例のように任意の機能を任意の複数台の装置に分割，あるいは統合して処理させることが可能である。
【００９７】
5. ＧＵＩ
本発明における入力・出力情報の設定あるいは表示を行うＧＵＩ例を図１３に示す。図１３中のウィンドウ１３００内に描画された各種情報は一画面中にあるいは分割してディスプレイ等に表示することができる。また，図１３中の＊はシステムに入力された，あるいは出力された任意の数値（あるいは文字列）や数値の範囲であることを示す。
【００９８】
ウィンドウ１３２０，１３２１において，必要に応じてレシピ生成のルールを指定する。デフォルトの値を入力することもできる。レシピ生成ルールの中で図中のウィンドウ１３２０，１３２１は具体的に測長種／ＭＰ推定のルールを設定するためのパラメータを例として表示しており，各パターン部位において算出した属性情報（測長種の候補，発生しうる欠陥の候補，回路属性，変形し易さ，設計データ上の計測長，ＥＰ中心からの距離等）に基づく推定ルールを設定することができる。すなわち，ＥＰ中に含まれる複数の測長種／ＭＰ候補に対し，最終的に選択される測長種／ＭＰの各属性情報に関して満たして欲しい要求数値がある場合には，ウィンドウ１３２０にその数値を入力する。また測長種／ＭＰ推定の際に重視して評価したい属性情報があればウィンドウ１３２１に評価ウェイトを入力することができる。
【００９９】
ウィンドウ１３２４，１３２５，１３３７には複数のレシピの情報が表示されている。前記各ウィンドウ１３２４，１３２５，１３３７に表示した情報は，必要に応じてユーザが指定値を入力する，あるいはシステム内部に用意された値をデフォルト値として与える，あるいはシステム内部のレシピ生成エンジンにて推定・出力することが可能である。以下ＥＰ ＩＤの欄１３２４に表示したＩＤが1のＥＰを特に取り上げて表示内容を説明する（ＩＤが２のＥＰで対応する項目を括弧内に記載する）。
【０１００】
ウィンドウ１３２５には，ＥＰ内の回路パターン１３２６（１３３２）（ＳＥＭ画像又は設計データ又はその両方）と測長カーソル１３２７，１３２８（１３３３），前記ＥＰを撮像するための撮像シーケンス１３２９（１３３４）（各種調整ポイントの座標，範囲・形状，撮像条件等であり，同図ではＡＰ１→ＡＰ２→ＡＦ→ＥＰ（ＩＤが２の場合は，ＡＰ→ＡＳＴ→ＡＦ→ＥＰ）の順になっているが，ＥＰ毎に経由する調整テンプレートは異なりうる），ＥＰに関する情報１３３０（１３３５）（ＥＰの座標，範囲・形状，撮像条件等），ＥＰ内のＭＰに関する情報１３３１（１３３６）（座標，測長種，測長カーソルの座標・大きさ・形状，測長方法）が表示されている。ウィンドウ１３３７には，各ＭＰにおける属性情報１３３８（１３３９）を表示することができる。ＭＰに関する情報１３３１（１３３６）やＭＰにおける属性情報１３３８（１３３９）に関して，ＥＰ内に複数のＭＰが存在する場合は，各ＭＰ毎に情報を表示することができる。
【０１０１】
前記レシピの情報の一部又は全ては，レシピ生成ボタン１３２２を押すことによって決定される。また，ウィンドウ１３２４，１３２５，１３３７は，複数のＥＰに関する情報をＩＤ順で縦に表示しているが，任意の基準でＥＰの表示順をソートしたり，表示するＥＰを制限することができる。前記任意の基準はプルダウンメニュー１３２３を用いて指定することでき，基準の例としては，（ａ）測長種／ＭＰの推定精度が低い順に表示（測長種／ＭＰ推定において推定の信頼度を算出し，前記信頼度に基づくソートを行う），（ｂ）測長種／ＭＰの推定に失敗したＥＰの未表示（例えば図５中のステップ５１４に該当する警告対象となったＥＰ），（ｃ）位置・サイズ・形状の変更を行ったＥＰの未表示（例えば，ユーザが初期に与えたＥＰに対し，ＥＰの撮像範囲の変更や複数ＥＰのマージやＥＰの分割を行ったＥＰ），（ｄ）MPが複数存在するEPのみ表示 等が挙げられる。このような複数の観点から情報をソートすることにより，レシピに不具合が生じた場合，あるいは生じうる場合，その原因内容別にＧＵＩ表示し，効率のよい問題解析ならびに修正が可能である。
【０１０２】
前記撮像シーケンス１３２９は，ウィンドウ１３０１において可視化して表示することができる。ウィンドウ１３０２にはＩＤ１番目のＥＰを撮像するための撮像シーケンスがＡＰ１（１３０３）→ＡＰ２（１３０４）→ＡＦ（１３０５）→ＥＰ（１３０６）のように可視化されている。また，前記ウィンドウ１３０１内の表示方法にはいくつかのオプションが考えられる。例えば表示する積層レイヤーの指定（チェックボックス１３１７），１３０２の枠に表示されている座標ゲージの表示をＥＰからの相対座標とするか（ある基準点からの）絶対座標とするかの切り替えオプション（チェックボックス１３１８），表示倍率の指定（１３１９）等である。
【０１０３】
また，ウィンドウ１３０７はＥＰの一覧を示している。同ウィンドウ中１３０８〜１３１１は例えばユーザにより指定された初期のＥＰ群であり，必要に応じてＥＰ最適化ボタン１３１６を押すことによって例えば図８に示したように，ＥＰの撮像範囲の変更や複数ＥＰのマージやＥＰの分割を実施する。１３１２〜１３１５は最適化後のＥＰ群であり，最適化前のＥＰ群との対応関係でみると，例えば最適化前のＥＰ１（１番目のＩＤのＥＰ）とＥＰ２（２番目のＩＤのＥＰ）とをマージして新たなＥＰ１としたことが分かる。また，ＥＰの表示１３０８〜１３１５の左に表示されたチェックボックスにチェックを入れることによって，ウィンドウ１３０１内に前記チェックを入れたＥＰを表示することができる。
【０１０４】
なお，前述の実施例においてはＳＥＭ装置におけるレシピ生成について説明したが，本発明はＳＥＭ装置のみならず，光学式顕微鏡あるいは走査型プローブ顕微鏡（以降，ＳＰＭ（Scanning Probe Microscope）と呼ぶ）等においても活用できる。すなわち，前記光学式顕微鏡あるいはＳＰＭにおいても，所望のＥＰを観察し，前記ＥＰ内のＭＰにおいて計測を実施する場合があり，本発明で述べたレシピ自動生成方法，データ管理方法およびシステム構成，ＧＵＩ等が活用可能である。ＳＰＭにおいては，実施例で述べたＳＥＭ画像は，ＳＰＭにより取得される奥行き情報あるいは前記奥行き情報を画像に変換したものとなる（奥行きの値を画像の明度値として変換）。
【産業上の利用可能性】
【０１０５】
ＬＳＩの微細化・高密度化に伴う設計マージンの減少等により，半導体パターンの寸法管理を行う必要がある評価ポイント数が格段に増加しつつあり，寸法管理ツールとして用いられるＳＥＭ装置等のスループット向上ならびに自動化率向上が強く求められている。本発明は，前記ＳＥＭ装置のレシピ自動生成に関するものである。本発明により多数の評価ポイントを高い自動化率で高速かつ正確に撮像・計測することが可能となり，半導体デバイスのパターンの設計や製造プロセスへのフィードバックが可能となる。
【図面の簡単な説明】
【０１０６】
【図１】本発明を実現するためのＳＥＭ装置の構成を示す図である。
【図２】半導体ウェーハ上から放出される電子の信号量を画像化する方法を示す図である。
【図３】撮像シーケンスを表わす図である。
【図４】本発明における処理全体のフローを示す図である。
【図５】評価ポイントにおける測長種／計測ポイントの推定フローを示す図である。
【図６】評価ポイントにおける撮像種／計測ポイントのバリエーションを示す図である。
【図７】評価ポイントにおける撮像種／計測ポイントのバリエーションを示す図である。
【図８】評価ポイントの撮像範囲の最適化，複数の評価ポイントのマージ，評価ポイントの分割を示す図である。
【図９】測長カーソルの修正を示す図である。
【図１０】測長方法の変更を示す図である。
【図１１】評価ポイントの撮像順の最適化を示す図である。
【図１２】本発明を実現するための装置システムの構成を示す図である。
【図１３】本発明におけるＧＵＩ画面を示す図である。
【符号の説明】
【０１０７】
101…半導体ウェーハ，  102…電子光学系，  103…電子銃，  104…一次電子，  105…コンデンサレンズ，  106…偏向器，  107…ＥｘＢ偏向器，  108…対物レンズ，  109…二次電子検出器，  110，111…反射電子検出器，  112〜114…A/D変換器，    115…処理・制御部，  116…GUI画面，  117…ステージ，  118…ステージチルト角，119…ステージコントローラ，  120…偏向制御部，  121…CPU，  122…画像メモリ，123…データベース，  201〜206…収束電子線の入射方向，  207…試料表面，  208…画像座標系，  209…画像，  308…ＥＰからのビームシフト可動範囲，  309…評価ポイント（ＥＰ），  310…アドレッシングポイント（ＡＰ），  311…オートフォーカスポイント（ＡＦ），  312…オートスティグマポイント（ＡＳＴ），  313…オートブライトネス・コントラストポイント（ＡＢＣＣ），  1300…GUI画面，  1301…パターンならびに撮像シーケンス表示ウィンドウ，  1302…最適化後の一番目のＥＰ周辺のパターンならびに前記ＥＰ撮像シーケンス表示ウィンドウ    1303〜1305…調整ポイント，  1306…評価ポイント，  1307…ＥＰ最適化ウィンドウ，   1316…ＥＰ最適化ボタン，  1317…表示レイヤー設定ウィンドウ，  1318…寸法表示切替設定ウィンドウ，  1319…表示倍率設定ボックス，  1320，1321…レシピ生成ルール設定ウィンドウ，  1322…レシピ自動生成ボタン，  1323…ＥＰ表示のソート条件あるいは限定条件設定プルダウンメニュー，  1324，1325，1337…レシピ情報表示ウィンドウ，  1326，1332…評価ポイントの撮像範囲，  1327，1328，1333…測長カーソル，  1329，1334…調整ポイント設定ウィンドウ，  1330，1335…ＥＰ設定ウィンドウ，  1331，1336…ＭＰ設定ウィンドウ，  1338，1339…ＭＰ属性情報表示ウィンドウ
【図１】
0005530601.tif 000002
【図２】
0005530601.tif 000003
【図３】
0005530601.tif 000004
【図４】
0005530601.tif 000005
【図５】
0005530601.tif 000006
【図６】
0005530601.tif 000007
【図７】
0005530601.tif 000008
【図８】
0005530601.tif 000009
【図９】
0005530601.tif 000010
【図１０】
0005530601.tif 000011
【図１１】
0005530601.tif 000012
【図１２】
0005530601.tif 000013
【図１３】
0005530601.tif 000014